(57)【要約】　　　（修正有）【課題】アナログ、デジタルのチャンネル変更を意識する必要をなくすと共に、消費電力の低下が図れる情報処理装置の提供。【解決手段】情報処理装置１は、デジタルテレビ放送を受信するデジタル放送受信手段３と、アナログテレビ放送を受信するアナログ放送受信手段４とを有し、デジタル放送受信手段３により受信した放送情報と、アナログ放送受信手段４により受信した放送情報を視聴可能にする信号処理手段５と、デジタル放送受信手段３および、アナログ放送受信手段４の動作状態を変更する受信機動作変更手段８と、情報処理装置１の動作状況を監視し、監視結果に応じて受信機動作変更手段８に対して、受信機の動作状態を変更する判定結果を送出する動作状況監視手段７とを備える。【選択図】　　　図１
2004056178.tif 000002
【特許請求の範囲】
【請求項１】
デジタルテレビ放送を受信するデジタル放送受信手段と、
アナログテレビ放送を受信するアナログ放送受信手段と、
を有する情報処理装置であって、
前記デジタル放送受信手段により受信した放送情報と、前記アナログ放送受信手段により受信した放送情報を視聴可能にする信号処理手段と、
前記デジタル放送受信手段および、前記アナログ放送受信手段の動作状態を変更する受信機動作変更手段と、
前記情報処理装置の動作状況を監視し、該監視結果に応じて前記受信機動作変更手段に対して、受信機の動作状態を変更する判定結果を送出する動作状況監視手段とを備えることを特徴とする情報処理装置。
【請求項２】
前記情報処理装置の動作状況が、該情報処理装置の消費電力、該情報処理装置の電池残量、該情報処理装置のＣＰＵ負荷率、該情報処理装置のＣＰＵ種別、該情報処理装置の位置情報、該情報処理装置のシステム構成、該情報処理装置での受信の動作モード、前記デジタル放送受信手段のビットエラーレート、前記デジタル放送受信手段または前記アナログ放送受信手段の受信強度のいずれかであることを特徴とする請求項１記載の情報処理装置。
【請求項３】
前記受信機動作変更手段が変更する動作状態が、一方を受信状態とし、他方は受信状態よりも消費電力が少ない状態とすることを特徴とする請求項１記載の情報処理装置。
【請求項４】
前記アナログ放送受信手段がＭＰＥＧ−２エンコーダを有すると共に、該ＭＰＥＧ−２エンコーダはエンコード可能なビットレートを変更可能であり、前記受信機動作変更手段の出力に応じて、前記ビットレートを変更することを特徴とする請求項１記載の情報処理装置。
【請求項５】
前記動作状況監視手段は、前記情報処理装置の動作状況として位置情報を取得可能とし、該位置情報に基づいて受信地域を特定すると共に、該受信地域の変化に応じて前記受信機動作変更手段を制御することを特徴とする請求項２記載の情報処理装置。
【請求項６】
前記動作状況監視手段は、前記情報処理装置の動作状況を表示する機能を有すると共に、ユーザーからの入力情報を取得し、該入力情報に基づいて前記受信機動作変更手段を制御することを特徴とする請求項２記載の情報処理装置。
【発明の詳細な説明】
【０００１】
【発明の属する技術分野】
本発明は、デジタルテレビ放送の受信機能を備えるパーソナルコンピュータやその他の携帯型情報処理装置に関する。
【０００２】
【従来の技術】
近年、テレビ放送の受信機能を搭載したパーソナルコンピュータ（ＰＣ）が普及し始めている。現在ではデスクトップパソコンにテレビ機能を搭載するのが一般的となってきているが、２００３年からデジタル地上波放送が開始されると、移動中でも比較的高品質な映像が見られるため、ノートパソコンなどのモバイル端末にもテレビ機能が搭載されると予測される。
【０００３】
デジタル地上波放送は全国的に一斉にサービスが開始されるわけでなく、首都圏より徐々に広がっていく予定である。またデジタル放送サービス開始後もデジタル放送用チューナーや、デジタル放送対応のテレビが一般に普及するためには数年かかるため、アナログ放送も２０１０年頃までは同時にサービスが提供される予定である。
【０００４】
一般的な家庭用のテレビとは異なり、モバイル端末では場所を移動して使うことが多く、広い地域で利用することが予想されるため、デジタル放送が開始されている地域ではデジタル放送で視聴し、開始されていない地域ではアナログ放送で視聴するという使い方に対応する必要が生じる。
【０００５】
そのため、デジタル放送が広い地域で開始されるまでは、デジタル放送とアナログ放送の両方の受信機を搭載する必要がある。
【０００６】
パソコンにテレビ機能を搭載した例を図１５に示す。
【０００７】
ここでパソコン１００は、地上波放送を受信するためのアンテナ１１０に繋がるアンテナ線を分離して、デジタル放送受信機１２０およびアナログ放送受信機１３０へ接続される。
【０００８】
デジタル放送受信機１２０は、受信した放送信号の中から受信したいチャンネルの周波数の信号を取り出すＲＦ（Ｒａｄｉｏ　Ｆｒｅｑｕｅｎｃｙ）部１２１と、受信したデジタル放送信号を復調してＭＰＥＧ２（Ｍｏｖｉｎｇ　Ｐｉｃｔｕｒｅ　ｃｏｄｉｎｇ　Ｅｘｐｅｒｔｓ　Ｇｒｏｕｐ　Ｐｈａｓｅ　２）ＴＳ（Ｔｒａｎｓｐｏｒｔ　Ｓｔｒｅａｍ）信号を取り出すデジタル復調部１２２と、デジタル復調部１２２から取り出されたＭＰＥＧ信号を復号して映像信号と音声信号を出力するＭＰＥＧデコード部１２３を備えている。
【０００９】
アナログ放送受信機１３０は、受信した放送信号の中から受信したいチャンネルの信号を取り出すＲＦ部１３１と、受信したアナログ放送信号を復調して映像信号とし、その映像信号をデジタル化すると共に、音声信号もデジタル化してパソコンで処理可能な信号に変換するアナログ復調部１３２を備えている。
【００１０】
このパソコン１００は、通常のＰＣ機能を果たすためにＣＰＵ、メモリなど機能部品を備えており、ハードディスクなどの記憶媒体ドライブ、ビデオ再生機能部、オーディオ再生機能部などを備えている。
【００１１】
これらのＰＣ機能を総称して便宜上信号処理部１４０と称する。信号処理部１４０は、デジタル放送受信機１２０およびアナログ放送受信機１３０により動画表示可能な信号が入力されるとビデオ再生機能部にて表示部１５０へ出力して表示するともに、オーディオ再生機能部により音声情報を出力する。
【００１２】
パソコンにテレビ機能を搭載した他の例を図１６に示す。
【００１３】
地上波放送を受信するためのアンテナ１１０に繋がるアンテナ線を分離して、デジタル放送受信機１２０およびアナログ放送受信機１３０へ接続される点は図１５の例と一致する。
【００１４】
デジタル放送受信機１２０は、受信した放送信号の中から受信したいチャンネルの信号を取り出すＲＦ部１２１と、受信したデジタル放送信号を復調してＭＰＥＧ圧縮された映像信号を取り出すデジタル復調部１２２を備えており、デジタル復調部１２２から取り出されたＭＰＥＧ信号を復号するハードウェアデコーダは備えていない。
【００１５】
アナログ放送受信機１３０は、受信した放送信号の中から受信したいチャンネルの信号を取り出すＲＦ部１３１と、受信したアナログ放送信号を復調して映像信号とする。その映像信号をデジタル化して連続したデジタル画像信号に変換すると共に、音声信号もデジタル化して出力するアナログ復調部１３２と、アナログ復調部から無圧縮で出力される膨大なデータ量の映像信号をＭＰＥＧ規格の圧縮技術を用いて圧縮して出力するＭＰＥＧエンコード部１３３を備えている。
【００１６】
このパソコン１００の信号処理部１４０は、デジタル放送受信機１２０およびアナログ放送受信機１３０から入力されるＭＰＥＧ信号を信号処理部１４０の機能を利用してＭＰＥＧデコードをソフトウェアで行って映像信号と音声信号を再生可能な状態とし、ビデオ再生機能部にて表示部１５０へ出力して表示するともに、オーディオ再生機能部により音声情報を出力する。
【００１７】
図１５で示した構成は、デジタル放送受信機１２０およびアナログ放送受信機１３０から出力される情報量が非常に多いために、例えば専用のバス線を搭載するといった専用のハード構成を必要とする場合がある。
【００１８】
一方、図１６で示した構成は、現在一般的に普及しているアナログ放送受信機１３０に対応させて構成したデジタル放送受信機１２０を利用するものであり、既存のインターフェースで十分に映像信号を処理できる反面、ＭＰＥＧデコードをソフトウェアで行う必要がある。
【００１９】
【発明が解決しようとする課題】
このような主としてデスクトップパソコンにて用いられているような従来の構成をそのままノートパソコンに適用した場合には次のような問題が生じる。
【００２０】
ノートパソコンのようなモバイル端末は移動して使用することが多く、例えば、旅行先や出張先ではデジタル放送が開始されていなかったり、あるいは、移動しながらの受信であったり、あるいはデコード処理を必要としないＣＰＵの処理負荷が低い録画であったりと、モバイル端末の状況に応じて、アナログ放送を受信するかデジタル放送を受信するか、あるいは、どちらかの受信中に他方の受信方法に切り替える必要があるかを、いちいちユーザーが判断する必要がある。
【００２１】
さらに、その判断にもとづいて視聴している最中や録画中に、あるいは視聴開始前や録画開始前に前もって状況を予測して、デジタル放送による受信かアナログ放送による受信かを、切り替える必要が発生し大変面倒な操作を必要とするために、デジタル放送とアナログ放送の両方の受信機を搭載しているにもかかわらず両方の放送を受信できるメリットが十分に発揮されない状態が発生する。
【００２２】
さらに、上述した判断は、ユーザーのスキルに基づくものが多く、デジタル放送やパソコンの性能に関する十分な知識がない場合には、適切な判断ができないことになり、結果としてデジタル放送とアナログ放送の両方を受信できるメリットが十分に発揮されない状態が発生する。
【００２３】
また、デジタル放送受信機は、図１５および図１６の双方の構成において約３Ｗの消費電力が必要であり、アナログ放送受信機は、図１５の構成において約１Ｗの消費電力を必要とし、図１６の構成において約２Ｗの消費電力を必要とする。
【００２４】
これらの数Ｗという消費電力は、全体で数百Ｗの電源容量を有するデスクトップパソコンでは、電源容量の１％程度であって問題にならない消費電力である。
【００２５】
一方、バッテリ駆動による使用が可能なノートパソコンでは、数ｍＷオーダーでの省電力化が要求されており、数Ｗもの消費電力を有するデバイスを搭載すると連続して利用できる時間が短くなってしまい、さらには、デジタル放送受信機とアナログ放送受信機の双方を搭載した場合には、すぐにバッテリの電力を消費してしまうという問題が生じる。
【００２６】
さらに、図１６で説明したような現在普及しているアナログ放送受信機の構成のようにＭＰＥＧデコードをソフトウェアで行う場合にはさらなる問題が生じる。数Ｗもの消費電力を利用するためには、他の部分での消費電力をおさえる必要があるが、信号処理部の消費電力を下げると具体的にはＣＰＵの処理能力が下がってしまい、処理能力が不足するとＭＰＥＧデコードのソフトウェア処理が処理しきれなくなり、画像飛びが発生するなどの他の問題が生じてしまう。
【００２７】
また、ノートパソコンのように携帯性を重視して設計されたパソコンは、外部電源を利用していたとしても消費電力の面で問題が生じる。つまり、ノートパソコンはデスクトップパソコンに比べて各機器の実装密度が高く放熱性能が十分に確保できない場合が生じる。そして、数Ｗもの消費電力を有するデジタル放送受信機とアナログ放送受信機の双方が発生する熱と、特にＭＰＥＧデコードをソフトウェアで行うためにＣＰＵで生じる多量の熱が、長時間にわたって発生し続けると放熱性能が間に合わなくなり、信号処理部の消費電力を下げるように制御されてしまう。その結果ＣＰＵの処理能力が下がってしまい、処理能力が不足するとＭＰＥＧデコードのソフトウェア処理が処理しきれなくなり、上述したのと同様に画像飛びが発生するなどの他の問題が生じてしまう。
【００２８】
本発明では、ノートパソコンのようなモバイル機器でデジタル放送を受信可能とする際に生じる新たな問題を解決することを目的とする。
【００２９】
【課題を解決するための手段】
デジタルテレビ放送を受信するデジタル放送受信手段と、アナログテレビ放送を受信するアナログ放送受信手段とを有する情報処理装置であって、
前記デジタル放送受信手段により受信した放送情報と、前記アナログ放送受信手段により受信した放送情報を視聴可能にする信号処理手段と、
前記デジタル放送受信手段および、前記アナログ放送受信手段の動作状態を変更する受信機動作変更手段と、
前記情報処理装置の動作状況を監視し、該監視結果に応じて前記受信機動作変更手段に対して、受信機の動作状態を変更する判定結果を送出する動作状況監視手段とを備えてなる。
【００３０】
この構成により情報処理装置の動作状況に応じて適宜デジタル放送とアナログ放送とを切り替え可能となり、情報処理装置の動作状況に対して最適な放送が選択できる。
【００３１】
また、前記情報処理装置の動作状況が、該情報処理装置の消費電力、該情報処理装置の電池残量、該情報処理装置のＣＰＵ負荷率、該情報処理装置のＣＰＵ種別、該情報処理装置の位置情報、該情報処理装置のシステム構成、該情報処理装置での受信の動作モード、前記デジタル放送受信手段のビットエラーレート、前記デジタル放送受信手段または前記アナログ放送受信手段の受信強度のいずれかであるよう構成する。
【００３２】
また、前記受信機動作変更手段が変更する動作状態が、どちらか一方を受信状態とし、他方は受信状態よりも消費電力が少ない状態とするよう構成する。
【００３３】
また、前記アナログ放送受信手段がＭＰＥＧ−２エンコーダを有すると共に、該ＭＰＥＧ−２エンコーダはエンコード可能なビットレートを変更可能であり、前記受信機動作変更手段の出力に応じて、前記ビットレートを変更可能に構成する。
【００３４】
また、前記動作状況監視手段は、前記情報処理装置の動作状況として位置情報を取得可能とし、該位置情報に基づいて受信地域を特定すると共に、該受信地域の変化に応じて前記受信機動作変更手段を制御するよう構成する。
【００３５】
また、前記動作状況監視手段は、前記情報処理装置の動作状況を表示する機能を有すると共に、ユーザーからの入力情報を取得し、該入力情報に基づいて前記受信機動作変更手段を制御するよう構成する。
【００３６】
【発明の実施の形態】
〔概略構成〕
本発明に係る携帯型情報処理装置についてその原理構成を示すブロック図を図１に示す。
【００３７】
情報処理装置１は、地上波放送を受信するためのアンテナ２と、アンテナ２に接続されたデジタル放送受信手段３およびアナログ放送受信手段４を備えている。デジタル放送受信手段３は、ＲＦ部と復調部などを備えており、デジタル放送された信号を受信してＭＰＥＧ−２　ＴＳ信号に復調するデジタル放送受信機からなる。アナログ放送受信手段４は、デジタル放送受信機と同様にＲＦ部と復調部を備えており、復調方式は全く異なるが、アナログ放送された信号を受信して映像信号へと復調し、情報処理装置１で処理可能なデータ信号にして出力するアナログ放送受信機からなる。
【００３８】
また、情報処理装置１は、デジタル放送受信手段３およびアナログ放送受信手段４により受信したデータ信号を画像データに変換するための信号処理手段５を備えている。信号処理手段５はＭＰＥＧデコード機能を備えており、ＭＰＥＧデータ内に含まれる音声データと画像データとを復元する。
【００３９】
情報処理装置１は、さらに信号処理手段５で復元された画像データを表示するための表示手段６を備えている。この表示手段６として、液晶表示パネルやプラズマディスプレイなどのフラットパネル表示装置を用いることができる。
【００４０】
情報処理装置１は、さらに、受信したデータ信号を表示するために必要な消費電力や電池残量などの情報処理装置１の動作状態を監視し、動作状態に応じてデジタル放送受信手段３またはアナログ放送受信手段４の一方の電力を制御する判定信号を生成する動作状態監視手段７、動作状態監視手段７の判定結果に応じてデジタル放送受信手段３およびアナログ放送受信手段４の消費電力を適切に制御する制御信号を生成する受信機動作変更手段８を備えている。
【００４１】
動作状態監視手段７は、たとえばテレビ放送の受信を検出した場合に、電池残量がテレビ放送を所定時間受信するのに十分な量であるか否か基準値と比較を行い、十分な電池残量がある場合にはデジタル放送受信手段３の電源をＯＮとなるように受信機動作変更手段８へ判定信号を送出し、受信機動作変更手段８はその判定信号に基づいてデジタル放送受信手段３の電源をＯＮに、アナログ放送受信手段４の電源をＯＦＦにする制御信号をそれぞれの受信機へ送出する。
【００４２】
動作状態監視手段７は、電池残量以外に、各放送受信時の消費電力、各放送受信時の視聴または録画といった動作モード、受信機のビットエラーレート、受信機の受信強度、ＧＰＳ（Ｇｌｏｂａｌ　Ｐｏｓｉｔｉｏｎｉｎｇ　Ｓｙｓｔｅｍ）あるいはＰＨＳ（Ｐｅｒｓｏｎａｌ　Ｈａｎｄｙｐｈｏｎｅ　Ｓｙｓｔｅｍ）などから得られる情報処理装置の位置情報、情報処理装置のＣＰＵ種別、ＣＰＵ負荷率といったパラメータが取得可能であり、これらのパラメータに基づいて適宜判定信号を生成する。
【００４３】
また、動作状態監視手段７はこれらのパラメータをユーザーに対して提示し、ユーザーによって入力された指示により判定信号を生成したり、判定基準を変更可能に構成されている。また、判定信号は受信機の電源をＯＮまたはＯＦＦするのみではなく、例えば、アナログ放送受信機に内蔵されるＭＰＥＧエンコーダのビットレートを変更する事で、アナログ放送受信機の消費電力とＣＰＵの処理負荷が変更できるといった、消費電力を変更するための信号とすることができる。
【００４４】
〔第１実施形態〕
本発明の第１実施形態が採用される携帯型情報処理装置を図２に示す。ここでは、ノートパソコン１０内にテレビ放送を受信するためのデジタル放送受信機３０およびアナログ放送受信機４０を搭載した例を示す。
【００４５】
ノートパソコン１０には、地上波放送を受信するためのアンテナ２０と、アンテナ２０に接続されたデジタル放送受信機３０およびアナログ放送受信機４０を備えている。デジタル放送受信機３０は、ＲＦ部３１と復調部３２を備えている。
【００４６】
ＲＦ部３１は、アンテナで受信した電波の中から、受信したいチャンネルの周波数を約５．６ＭＨｚの帯域で取り出すと共に増幅を行う。さらには、後述する機能で利用するために、受信した電波の強さを受信強度として数値化した情報をＣＰＵへと出力する。
【００４７】
復調部３２は、ＲＦ部３１から出力されたアナログ信号をＡ／Ｄコンバータでデジタル化し、Ａ／Ｄコンバータによりデジタル化した際に生じるサンプリング誤差を除去し、直交復調、周波数誤差除去といった同期処理を行う。次にＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）変調により多数のキャリア周波数に分割された情報をＦＦＴ（Ｆａｓｔ　Ｆｏｕｒｉｅｒ　Ｔｒａｎｓｆｏｒｍ）による復調処理を行い、同期検波、作動検波といった検波処理を行ってデジタル情報を抽出する。さらに、ビタビ復号、ＴＳ再生、リードソロモン復号といった誤り訂正処理を行う。これらの処理を行った結果出力されるデジタル信号がＭＰＥＧ−２　ＴＳ信号となる。また誤り訂正処理においてビットエラーレートが算出され後述する機能で利用するためにＣＰＵへと出力する。
【００４８】
アナログ放送受信機４０は、デジタル放送受信機と同様にＲＦ部４１と復調部４２を備えており、さらに、ＭＰＥＧエンコード部４３を備えている。ＲＦ部４１は、アンテナで受信した電波の中から、受信したいチャンネルの周波数を約６ＭＨｚの帯域で取り出すと共に増幅を行う。また、後述する機能で利用するために、受信した電波の強さを受信強度として数値化した情報をＣＰＵへと出力する。
【００４９】
復調部４２は、ＲＦ部４１から出力された信号を映像信号と音声信号に分離する。音声信号はＦＭ検波により可聴可能な音声信号に復調しＡ／Ｄコンバータによりデジタル化する。一方ＡＭ変調されている映像信号は検波した後に、Ａ／Ｄコンバータでデジタル化すると共に、垂直同期信号、水平同期信号およびカラーバースト信号を検出し、ゴースト除去フィルタ処理などの信号処理によって映像信号の適正化が行われる。また、適正化が行われた映像信号は垂直同期信号と水平同期信号のタイミングを利用してフレームメモリに取り込まれると共に、フレームメモリ内の１ライン前の信号あるいは１フレーム前の信号と加算するくし型フィルタ処理を行うことで輝度信号を生成し、減算することで搬送色信号を生成する。このくし形フィルタで、１ライン前の信号を使用する２次元くし型フィルタを利用するか、１フレーム前の信号を使用する３次元くし型フィルタを利用するかは、それぞれのデータの相関関係から動的に選択される。
【００５０】
またＲＧＢのそれぞれの色に合わせて９０°，３０３．５°，１８０°位相を遅らせたカラーバースト信号と位相を比較して搬送色信号を復調することで、ＲＧＢの３色の色差信号を生成する。そして、輝度信号とＲＧＢの３色の色差信号をそれぞれ加算することでＲＧＢ信号を復調する。
【００５１】
ＭＰＥＧエンコード部４３は、復調部４２で復調したＲＧＢ信号と、音声信号をＭＰＥＧ−２で圧縮すると共に、ＰＳ（Ｐｒｏｇｒａｍ　Ｓｔｒｅａｍ）形式の信号に変換される。
【００５２】
ノートパソコン１０には、通常のＰＣ機能として存在するＣＰＵ，メモリ，ハードディスク，ビデオ，オーディオからなるデバイスが存在し、ＣＰＵを中心にそれぞれがバス線で接続されており、メモリは専用のメモリバスで、その他のデバイスはＰＣＩ（Ｐｅｒｉｐｈｅｒａｌ　Ｃｏｍｐｏｎｅｎｔｓ　Ｉｎｔｅｒｃｏｎｎｅｃｔ）バス等のＩ／Ｏバスに接続されている。これらの通常のＰＣ機能により、信号処理部５０を構成している。さらに、デジタル放送受信機３０およびアナログ放送受信機４０も同様にＰＣＩバスに接続され、デジタル放送受信機３０およびアナログ放送受信機４０で生成したＭＰＥＧ信号をＣＰＵで処理することが可能となっている。デジタル放送受信機３０およびアナログ放送受信機４０は、十分に小型化できるものとしてノートパソコンへ内蔵することで説明するが、その大きさとコストにより、ＰＣカードスロットに搭載する形式にしてもよく、あるいは、ＤＶＤドライブや拡張バッテリを搭載するモバイルマルチベイに搭載する形式にしても良い。
【００５３】
信号処理部５０は、ＭＰＥＧデコード部５１、消費電力予測部５２、受信動作変更部５３を構成しており、それぞれはソフトウェアで構成されているため、ＣＰＵとメモリによって動作する。
【００５４】
ＭＰＥＧデコード部５１はＭＰＥＧデータのフォーマットがデジタル放送受信機３０から出力されたＭＰＥＧ−２　ＴＳかアナログ放送受信機４０から出力されたＭＰＥＧ−２　ＰＳかは、それぞれのパケットのヘッダを参照する事で判断する。ＭＰＥＧ−２　ＴＳとＭＰＥＧ−２　ＰＳはそれぞれＭＰＥＧデータをパケット化してデータ化してあり、そのパケットのサイズや蓄積順序が異なるので、それぞれのパケットのヘッダを見て形式を判断し、映像情報と音声情報を取り出す。さらに、ＭＰＥＧ−２　ＴＳは、複数の情報が存在している場合があるため、ユーザーの指定した番組の映像情報と音声情報のみを取り出す。
【００５５】
デジタル地上波放送では１チャンネルを１３セグメントに分割し、それらのセグメントを組み合わせることで最大３番組の番組を多重化することが可能である。例えば、ＳＤＴＶ（Ｓｔａｎｄａｒｄ　Ｄｅｆｉｎｉｔｉｏｎ　ＴＶ）相当の画像品質（解像度）の番組を３番組同時に放送したり、ＨＤＴＶ（Ｈｉｇｈ　Ｄｅｆｉｎｉｔｉｏｎ　ＴＶ）相当の画像品質の番組を１番組だけ放送するなど、様々なサービスが実施される予定である。
【００５６】
取り出された映像情報は、ＭＰＥＧデコード部５１内の映像デコーダ５１１によりＲＧＢの映像データに復元されて、信号処理部５０のビデオへと出力する。信号処理部５０のビデオはＲＧＢの映像データを逐次表示部６０の液晶パネルの駆動信号に変換して出力することでユーザーがテレビ番組を視認可能となる。
【００５７】
一方音声情報はＭＰＥＧデコード部５１内の音声デコーダ５１２により、左右のステレオ音声信号に復元し、信号処理部５０のオーディオへと出力する。信号処理部５０のオーディオは、音声信号をアナログの電圧信号に変換してスピーカ部７０へ出力することで、可聴可能な音として発生する。
【００５８】
消費電力予測部５２はノートパソコンの電池残量を取得する電池残量情報取得部５２１と消費電流テーブル５２２とデジタルアナログ選択部５２３とを備えている。消費電流テーブル５２２は、デジタル放送を受信した場合に消費される電流値と、アナログ放送を受信した場合に消費される電流値とを記憶している。デジタルアナログ選択部５２３は、電池残量情報取得部５２１から取得した電池残量情報から電池残量が少ないかどうかを判断し、電池残量が少ない場合は、消費電流テーブル５２２に記憶される電流値を参照して消費電力が少ないアナログ放送へと切り換える。あるいは、電池残量情報取得部５２１から取得した電池残量情報から、消費電流テーブル５２２に記憶される電流値で割って視聴可能な時間を予測し、その予測される時間の長短に応じてデジタル放送を受信するか、アナログ放送を受信するかを決定してもよい。
【００５９】
消費電力予測部５２は演算した視聴可能時間に基づいて、十分な時間視聴可能な場合は、高画質な映像が得られるデジタル放送を受信するように決定し、現在視聴しているデジタル放送では十分な時間視聴できないが、アナログ放送なら十分な時間視聴可能である場合には、アナログ放送を受信するように決定するように構成する。
【００６０】
受信機動作変更部５３は、消費電力予測部５２のデジタルアナログ選択部５２３の指示にしたがって、デジタル放送受信機３０およびアナログ放送受信機４０の電源を制御する。具体的には、ぞれぞれの受信機に対して電源をＯＮまたはＯＦＦする電源制御信号を送出する。
【００６１】
このように構成された第１実施形態の携帯型情報処理装置の動作を図３のフローチャートにそって説明する。
【００６２】
ステップＳ１１は初期状態であり、ノートパソコン１０の電源が入っており、デジタル放送受信機３０およびアナログ放送受信機４０の双方の電源がＯＦＦした状態である。
【００６３】
ステップＳ１２では、ノートパソコン１０上のアプリケーションからテレビ受信用のソフトが起動されたか否かを判別する。テレビ受信用ソフトが起動されたと判断した場合にはステップＳ１３に移行する。
【００６４】
ステップＳ１３では、デジタル放送受信機３０の電源をＯＮ状態とし、受信したデータ信号の復調処理を行ってＭＰＥＧデータを出力する。
【００６５】
ステップＳ１４では、消費電力予測部５２の電池残量情報取得部５２１を参照して電池残量が基準値以下かどうかを判断する。電池残量が基準値以上あれば、受信状態を変更することなく連続視聴が可能であるので、ステップＳ１８へ移行し、電池残量が基準値以下であれば、次のステップＳ１５へ移行する。
【００６６】
ステップＳ１５では、消費電力予測部５２の消費電流テーブル５２２を参照して、あらかじめ登録しているデジタル受信時消費電流とアナログ受信時消費電流を比較してアナログ放送に切り替えた方が消費電力が少なくなるか計算し、現在の受信機がデジタル放送受信機であるなら、アナログ放送に切り替えた方が消費電力が少なくなるか判断する。
【００６７】
ステップＳ１６では、ステップ１５の判断に基づき、アナログ放送に切り替えなくてもいい場合はステップＳ１８へ移行し、アナログ放送に切り替えた方が消費電力が少なくなる場合には、ステップＳ１７へ移行する。
【００６８】
ステップＳ１７では、受信動作変更部５３でデジタル放送受信機３０の電源をＯＦＦにし、アナログ放送受信機４０の電源をＯＮにする。
【００６９】
ステップＳ１８では、ＭＰＥＧデータをデコード処理して表示部６０およびスピーカ部７０を介して出力を行う。
【００７０】
ステップＳ１９では、テレビ受信用ソフトの終了処理が指示されたか否かを判別する。テレビ受信用ソフトの終了処理が指示された場合にはステップＳ２０に移行し、テレビ受信用ソフトの終了処理が指示されていない場合にはステップＳ１４に移行する。
【００７１】
ステップＳ２０では、デジタル放送受信機３０およびアナログ放送受信機４０の電源をＯＦＦにする。
【００７２】
このようにして、デジタル放送受信機３０およびアナログ放送受信機４０を搭載したノートパソコン１０において、使用している受信機の動作に必要な消費電力と電池残量から受信機の適切な電源制御が行え、バッテリ駆動であってもより長時間視聴が可能となる。
【００７３】
また、パソコンの電池残量が基準値以上であれば、ユーザーはそのままテレビ受信用ソフトを終了させるまでデジタル放送を視聴可能である。
【００７４】
電池残量情報は、一般的にパソコンではユーザーに残量を知らすためにその情報を内部で所有している。また消費電力予測部であらかじめ登録された各放送受信時に必要な消費電力は、あらかじめ登録しておく方法以外に、電池残量と視聴時間より消費電力を計算し、自動的にテーブルのデータを更新してもよい。
【００７５】
また上記は自動的にデジタルからアナログへ切り替わる例であるが、切り替える前にユーザーに通知し、ユーザーが切り替えを了承した場合のみ切り替えるようにしてもよい。
【００７６】
なお、本実施形態において、デジタル放送受信機３０がアナログ放送受信機４０よりも消費電力が多いことを前提に説明した。しかし、アナログ放送受信機４０は、ＲＦ部から入力された信号をＡ／Ｄコンバータでデジタル化するまでに高周波のアナログ回路を復調部４２に多く含むために集積化が困難であり、集積化が進まなければ消費電力の低下も期待できない。一方、デジタル放送受信機３０の復調部３２はほとんどがデジタル回路であるため、デジタル回路の集積化技術の進歩に比例して集積化が進む回路であり、将来的にはアナログ放送受信機よりも消費電力が低くなる可能性がある。その場合には、消費電力の関係からどちらの受信機を選択するかは、本実施形態とは異なったものとなり、適宜設計変更が可能である。
【００７７】
〔第２実施形態〕
本発明の第２実施形態が採用される携帯型情報処理装置の制御ブロック図を図４に示す。ここでは、第１実施形態と同様に、ノートパソコン１０内にテレビ放送を受信するためのデジタル放送受信機３０およびアナログ放送受信機４０を搭載した例を示す。
【００７８】
ノートパソコン１０には、地上波放送を受信するためのアンテナ２０と、アンテナ２０に接続されたデジタル放送受信機３０およびアナログ放送受信機４０を備えている。
【００７９】
デジタル放送受信機３０またはアナログ放送受信機４０によって復調されたＭＰＥＧデータは、信号処理を実行する信号処理部５０に送出される。
【００８０】
信号処理部５０は、ＭＰＥＧデコード部５１、受信動作変更部５３、ＣＰＵ負荷率モニタ部５４を構成しており、それぞれはソフトウェアで構成されているため、ＣＰＵとメモリによって動作する。
【００８１】
ＭＰＥＧデコード部５１および受信動作変更部５３の動作は第１実施形態と同じなので説明を省略する。
【００８２】
ＣＰＵ負荷率モニタ部５４はノートパソコンのＣＰＵ負荷率を取得するＣＰＵ負荷率取得部５４１と負荷率基準値テーブル５４２と判定部５４３とを備えている。負荷率基準値テーブル５４２は、デコード処理を行っている最中にＣＰＵ負荷率が１００％を越えてしまい処理が追いつかずに画像飛びが発生してしまう恐れがあるようなＣＰＵ負荷率の基準値を記憶している。判定部５４３は、ＣＰＵ負荷率取得部５４１から取得したＣＰＵ負荷率と、負荷率基準値テーブル５４２に記憶される基準値とを比較し、その比較結果に応じてデジタル放送を受信するか、アナログ放送を受信するかを決定する。
【００８３】
このように構成された第２実施形態の携帯型情報処理装置の動作を図５のフローチャートにそって説明する。
【００８４】
ステップＳ３１は初期状態であり、ノートパソコン１０の電源が入っており、デジタル放送受信機３０およびアナログ放送受信機４０の双方の電源がＯＦＦした状態である。
【００８５】
ステップＳ３２では、ノートパソコン１０上のアプリケーションからテレビ受信用のソフトが起動されたか否かを判別する。テレビ受信用ソフトが起動されたと判断した場合にはステップＳ３３に移行する。
【００８６】
ステップＳ３３では、デジタル放送受信機３０の電源をＯＮ状態とし、受信したデータ信号の復調処理を行ってＭＰＥＧデータを出力する。
【００８７】
ステップＳ３４では、ＣＰＵ負荷率モニタ部５４のＣＰＵ負荷率取得部５４１と負荷率基準値テーブル５４２とを比較し、ＣＰＵ負荷率が基準値以上かどうかを判定する。ＣＰＵ負荷率が基準値以下ならば、受信状態を変更することなく連続視聴が可能であるので、ステップＳ３６へ移行し、ＣＰＵ負荷率が基準値以上であれば、次のステップＳ３５へ移行する。
【００８８】
ステップＳ３５では、受信動作変更部５３でデジタル放送受信機３０の電源をＯＦＦにし、アナログ放送受信機４０の電源をＯＮにする。
【００８９】
ステップＳ３６では、ＭＰＥＧデータをデコード処理して表示部６０およびスピーカ部７０を介して出力を行う。
【００９０】
ステップＳ３７では、テレビ受信用ソフトの終了処理が指示されたか否かを判別する。テレビ受信用ソフトの終了処理が指示された場合にはステップＳ３８に移行し、テレビ受信用ソフトの終了処理が指示されていない場合にはステップＳ３４に移行する。
【００９１】
ステップＳ３８では、デジタル放送受信機３０およびアナログ放送受信機４０の電源をＯＦＦにする。
【００９２】
以上の構成により、ＣＰＵ負荷率が基準値を超えないように使用することが可能となり、パソコンのＣＰＵ負荷率が基準値以下であれば、ユーザーはそのままテレビ受信用ソフトを終了させるまでデジタル放送を視聴可能である。特に、ＨＤＴＶのような高品質の番組を視聴する際にパソコンの処理能力によってはＣＰＵの負荷率が１００％を超え、処理が追いつかず画像飛び等の問題が発生する恐れがあるが、本制御を行うことでその問題が解消できる。上記はＣＰＵ負荷率を実際に測定する例であるが、パソコンのシステム情報（ＣＰＵ種別、クロック周波数等）を取得することで測定しなくても処理可能かどうかを予測することも可能である。
【００９３】
〔第３実施形態〕
本発明の第３実施形態が採用される携帯型情報処理装置の制御ブロック図を図６に示す。第１実施形態と同じ構成箇所には同じ参照番号を付しているので説明を省略する。
【００９４】
信号処理部５０は、ＭＰＥＧデコード部５１、受信動作変更部５３、動作モード監視部５５を構成しており、それぞれはソフトウェアで構成されているため、ＣＰＵとメモリによって動作する。
【００９５】
動作モード監視部５５はＴＶ受信ソフトの動作状態が視聴しているか録画しているかを表す動作モード取得部５５１と判定部５５２とを備えている。判定部５５２は、動作モード取得部５５１の情報を参照し、ＨＤＴＶのデジタル放送を視聴している場合には極端にＣＰＵの処理負荷があるために、デコード処理によるＣＰＵの負荷が１００％を越えて画質が劣化するのを防止するためにアナログ放送を受信するように決定し、デコード処理を必要とせずＣＰＵの処理負荷の低い録画モードの場合は、ノイズや移動中などの信号の変化に強いデジタル放送を受信するように決定する。
【００９６】
このように構成された第３実施形態の携帯型情報処理装置の動作を図７のフローチャートにそって説明する。
【００９７】
ステップＳ４１は初期状態であり、ノートパソコン１０の電源が入っており、デジタル放送受信機３０およびアナログ放送受信機４０の双方の電源がＯＦＦした状態である。
【００９８】
ステップＳ４２では、ノートパソコン１０上のアプリケーションからテレビ受信用のソフトが起動されたか否かを判別する。テレビ受信用ソフトが起動されたと判断した場合にはステップＳ４３に移行する。
【００９９】
ステップＳ４３では、デジタル放送受信機３０の電源をＯＮ状態とし、受信したデータ信号の復調処理を行ってＭＰＥＧデータを出力する。
【０１００】
ステップＳ４４では、動作モードが視聴中であるか録画中であるか判定し、録画モードであれば、受信状態を変更することなくステップＳ４７へ移行し、視聴中であれば、次のステップＳ４５へ移行する。
【０１０１】
ステップＳ４５では、受信動作変更部５３でデジタル放送受信機３０の電源をＯＦＦにし、アナログ放送受信機４０の電源をＯＮにする。
【０１０２】
ステップＳ４６では、動作モードが視聴中であるばあいのみ動作し、ＭＰＥＧデータをデコード処理して表示部６０およびスピーカ部７０を介して出力を行う。
【０１０３】
ステップＳ４７では、テレビ受信用ソフトの終了処理が指示されたか否かを判別する。テレビ受信用ソフトの終了処理が指示された場合にはステップＳ４８に移行し、テレビ受信用ソフトの終了処理が指示されていない場合にはステップＳ４４に移行する。
【０１０４】
ステップＳ４８では、デジタル放送受信機３０およびアナログ放送受信機４０の電源をＯＦＦにする。
【０１０５】
〔第４実施形態〕
以上の例はすべてデジタル、アナログの両サービスが開始されている地域で使用する場合の例であるが、デジタル放送が開始されていない地域と、両放送サービス中の地域で移動しながら使用する場合、切り替えをスムーズにするために動作状況監視手段にパソコンの位置情報を使用する方法が考えられる。ＧＰＳ等で位置情報を取得・監視し、現在デジタル放送サービス開始地域では自動的にデジタル放送受信機をＯＮ、アナログ放送受信機をＯＦＦにし、デジタル放送サービスが開始されてない地域では自動的にデジタル放送受信機をＯＦＦ、アナログ放送受信機をＯＮにする。また毎回電源投入ごとに切り替えを行わないようにするため一度設定した状態を場所が変わらない限り保持しておくことも考えられる。
【０１０６】
本発明の第４実施形態が採用される携帯型情報処理装置の制御ブロック図を図８に示す。第１実施形態と同じ構成箇所には同じ参照番号を付しているので説明を省略する。
【０１０７】
信号処理部５０は、ＭＰＥＧデコード部５１、受信動作変更部５３、位置情報モニタ部５８を構成しており、位置情報モニタ部５８の一部を除いてソフトウェアで構成されているため、ＣＰＵとメモリによって動作する。
【０１０８】
位置情報モニタ部５８はＧＰＳアンテナ５８０と、ＧＰＳ信号から現在地を計算するＧＰＳ受信部５８１と、位置情報から放送地区を割り出すための情報と、その放送地区でデジタル放送が開始されているかどうかを判断するために、デジタル放送およびアナログ放送の放送チャンネル情報が格納してある放送地区テーブル５８２と、ＧＰＳ受信部５８１から得られた位置情報から放送地区テーブル５８２を参照してアナログ放送を受信するかデジタル放送を受信するかを決定する判定部５８３を有し、判定部５８３は、前回の位置情報あるいは、前回の地区情報を記憶するメモリ５８４を有する。
【０１０９】
〔第５実施形態〕
その他監視情報の例として受信機の受信強度を監視する方法、受信機のビットエラーレート（ＢＥＲ）を監視する方法も考えられる。
【０１１０】
本発明の第５実施形態が採用される携帯型情報処理装置の制御ブロック図を図９に示す。第１実施形態と同じ構成箇所には同じ参照番号を付しているので説明を省略する。
【０１１１】
信号処理部５０は、ＭＰＥＧデコード部５１、受信動作変更部５３、ビットエラーレートモニタ部５６を構成しており、それぞれはソフトウェアで構成されているため、ＣＰＵとメモリによって動作する。
【０１１２】
ビットエラーレートモニタ部５６はデジタル放送受信機３０から出力されるビットエラーレートを取得するビットエラーレート取得部５６１と、ビットエラーレートの基準値を保持するビットエラーレート基準値テーブル５６２と、ビットエラーレートが基準値を下回ったかどうかを判定する判定部５６３を有する。
【０１１３】
図中ビットエラーレートを表している１ｅ−７は１０−７を意味し、１０００００００ｂｉｔに１ｂｉｔしかエラーが発生していないことを表す。また同様に、１ｅ−３は１０−３を意味し、１０００ｂｉｔに１ｂｉｔのエラーが発生しおり、エラーが頻発している状態を表す。
【０１１４】
このように構成された第５実施形態の携帯型情報処理装置の動作を図１０のフローチャートにそって説明する。
【０１１５】
ステップＳ５１は初期状態であり、ノートパソコン１０の電源が入っており、デジタル放送受信機３０およびアナログ放送受信機４０の双方の電源がＯＦＦした状態である。
【０１１６】
ステップＳ５２では、ノートパソコン１０上のアプリケーションからテレビ受信用のソフトが起動されたか否かを判別する。テレビ受信用ソフトが起動されたと判断した場合にはステップＳ５３に移行する。
【０１１７】
ステップＳ５３では、デジタル放送受信機３０の電源をＯＮ状態とし、受信したデータ信号の復調処理を行ってＭＰＥＧデータを出力する。
【０１１８】
ステップＳ５４では、ビットエラーレートが基準値以上であるか判定し、基準値以下であれば、受信状態を変更することなくステップＳ５６へ移行し、基準値以上であれば、次のステップＳ５５へ移行する。
【０１１９】
ステップＳ５５では、受信動作変更部５３でデジタル放送受信機３０の電源をＯＦＦにし、アナログ放送受信機４０の電源をＯＮにする。
【０１２０】
ステップＳ５６では、ＭＰＥＧデータをデコード処理して表示部６０およびスピーカ部７０を介して出力を行う。
【０１２１】
ステップＳ５７では、テレビ受信用ソフトの終了処理が指示されたか否かを判別する。テレビ受信用ソフトの終了処理が指示された場合にはステップＳ５８に移行し、テレビ受信用ソフトの終了処理が指示されていない場合にはステップＳ５４に移行する。
【０１２２】
ステップＳ５８では、デジタル放送受信機３０およびアナログ放送受信機４０の電源をＯＦＦにする。
【０１２３】
〔第６実施形態〕
本発明の第６実施形態が採用される携帯型情報処理装置の制御ブロック図を図１１に示す。第１実施形態と同じ構成箇所には同じ参照番号を付しているので説明を省略する。
【０１２４】
信号処理部５０は、ＭＰＥＧデコード部５１、受信動作変更部５３、受信強度モニタ部５７を構成しており、それぞれはソフトウェアで構成されているため、ＣＰＵとメモリによって動作する。
【０１２５】
受信強度モニタ部５７はデジタル放送受信機３０から出力される受信強度を取得する受信強度取得部５７１と、受信強度の基準値を保持する受信強度基準値テーブル５７２と、受信強度が基準値を下回ったかどうかを判定する判定部５７３を有する。
【０１２６】
このように構成された第５実施形態の携帯型情報処理装置の動作を図１２のフローチャートにそって説明する。
【０１２７】
ステップＳ６１は初期状態であり、ノートパソコン１０の電源が入っており、デジタル放送受信機３０およびアナログ放送受信機４０の双方の電源がＯＦＦした状態である。
【０１２８】
ステップＳ６２では、ノートパソコン１０上のアプリケーションからテレビ受信用のソフトが起動されたか否かを判別する。テレビ受信用ソフトが起動されたと判断した場合にはステップＳ６３に移行する。
【０１２９】
ステップＳ６３では、デジタル放送受信機３０の電源をＯＮ状態とし、受信したデータ信号の復調処理を行ってＭＰＥＧデータを出力する。
【０１３０】
ステップＳ６４では、受信強度が基準値以下であるか判定し、基準値以上であれば、受信状態を変更することなくステップＳ６６へ移行し、基準値以下であれば、次のステップＳ６５へ移行する。
【０１３１】
ステップＳ６５では、受信動作変更部５３でデジタル放送受信機３０の電源をＯＦＦにし、アナログ放送受信機４０の電源をＯＮにする。
【０１３２】
ステップＳ６６では、ＭＰＥＧデータをデコード処理して表示部６０およびスピーカ部７０を介して出力を行う。
【０１３３】
ステップＳ６７では、テレビ受信用ソフトの終了処理が指示されたか否かを判別する。テレビ受信用ソフトの終了処理が指示された場合にはステップＳ６８に移行し、テレビ受信用ソフトの終了処理が指示されていない場合にはステップＳ６４に移行する。
【０１３４】
ステップＳ６８では、デジタル放送受信機３０およびアナログ放送受信機４０の電源をＯＦＦにする。
【０１３５】
これらのパラメータをユーザーに通知する例を図１３にフローチャートを、図１４に画面を示す。ユーザーは監視情報を確認した上で、どちらの放送にでも切り替え可能である。
【０１３６】
ステップＳ７１は初期状態であり、ノートパソコン１０の電源が入っており、デジタル放送受信機３０およびアナログ放送受信機４０の双方の電源がＯＦＦした状態である。
【０１３７】
ステップＳ７２では、ノートパソコン１０上のアプリケーションからテレビ受信用のソフトが起動されたか否かを判別する。テレビ受信用ソフトが起動されたと判断した場合にはステップＳ７３に移行する。
【０１３８】
ステップＳ７３では、デジタル放送受信機３０の電源をＯＮ状態とし、受信したデータ信号の復調処理を行ってＭＰＥＧデータを出力する。
【０１３９】
ステップＳ７４では、受信強度が基準値以下であるか判定し、基準値以上であれば、受信状態を変更することなくステップＳ７８へ移行し、基準値以下であれば、次のステップＳ７５へ移行する。
【０１４０】
ステップＳ７５では図１４に示す通り、現在の受信状態に関する情報と、ユーザー選択可能なデジタル放送を受信するかアナログ放送を受信するかを選択するための選択ボタンが設けられている。受信状態に関する情報はビットエラーレート、受信強度、ＣＰＵ負荷率が表示される。そして、それらの項目は、それぞれにアナログ放送受信機による受信状態の場合と、デジタル放送受信機による受信状態をそれぞれ計測し、基準値と現在の値とを表示する。さらに基準値に対して現在の値が十分に良好な値である場合は◎印を、基準値よりも現在の値が良好である場合は○印を、基準値と現在の値が近い場合は△印を、基準値よりも現在の値の方が悪い場合は×印を表示する判定欄を有する。
【０１４１】
ステップＳ７６では、ステップ７５で表示した結果に基づきユーザーが選択した図１４中のアナログボタンが選択されたかデジタルボタンが選択されたかを判断し、デジタル放送が選択された場合はステップＳ７８へ移行し、アナログ放送が選択された場合には、ステップＳ７７へ移行する。
【０１４２】
ステップＳ７７では、受信動作変更部５３でデジタル放送受信機３０の電源をＯＦＦにし、アナログ放送受信機４０の電源をＯＮにする。
【０１４３】
ステップＳ７８では、ＭＰＥＧデータをデコード処理して表示部６０およびスピーカ部７０を介して出力を行う。
【０１４４】
ステップＳ７９では、テレビ受信用ソフトの終了処理が指示されたか否かを判別する。テレビ受信用ソフトの終了処理が指示された場合にはステップＳ８０に移行し、テレビ受信用ソフトの終了処理が指示されていない場合にはステップＳ７４に移行する。
【０１４５】
ステップＳ８０では、デジタル放送受信機３０およびアナログ放送受信機４０の電源をＯＦＦにする。
【０１４６】
以上の実施例では、デジタル放送受信機とアナログ放送受信機の電力を制御する場合を前提に説明したが、アナログ放送受信時の消費電力を下げるためにＭＰＥＧ−２エンコーダのビットレートを下げる方法もある。例えば、デジタル放送からアナログ放送に変更してもなお、ＣＰＵ負荷が高く画像品質が改善されない場合や消費電力が大きい場合には、ＭＰＥＧのビットレートが下がる事で情報量が少なくなり、ＣＰＵで処理を行うソフトウェアデコードの負荷が下がり、受信状況をさらに改善できる場合が有る。
【０１４７】
【発明の効果】
本発明によれば、特に電池駆動の情報処理装置において、視聴時間を大幅に延ばすことが可能となる。また、アナログ、デジタルのチャンネル変更を意識する必要が無くなり、チャンネル変更の手間が省ける。
【図面の簡単な説明】
【図１】本発明の原理を示す概略構成図。
【図２】第１実施形態の制御ブロック図。
【図３】第１実施形態のフローチャート。
【図４】第２実施形態の制御ブロック図。
【図５】第２実施形態のフローチャート。
【図６】第３実施形態の制御ブロック図。
【図７】第３実施形態のフローチャート。
【図８】第４実施形態の制御ブロック図。
【図９】第５実施形態の制御ブロック図。
【図１０】第５実施形態のフローチャート。
【図１１】第６実施形態の制御ブロック図。
【図１２】第６実施形態のフローチャート。
【図１３】第６実施形態のフローチャート。
【図１４】ユーザーへ監視情報を通知する例を示す図。
【図１５】従来技術の制御ブロック図。
【図１６】他の従来技術の制御ブロック図。
【図１】
2004056178.tif 000003
【図２】
2004056178.tif 000004
【図３】
2004056178.tif 000005
【図４】
2004056178.tif 000006
【図５】
2004056178.tif 000007
【図６】
2004056178.tif 000008
【図７】
2004056178.tif 000009
【図８】
2004056178.tif 000010
【図９】
2004056178.tif 000011
【図１０】
2004056178.tif 000012
【図１１】
2004056178.tif 000013
【図１２】
2004056178.tif 000014
【図１３】
2004056178.tif 000015
【図１４】
2004056178.tif 000016
【図１５】
2004056178.tif 000017
【図１６】
2004056178.tif 000018